(57)【要約】【課題】送信機から受信機に対して、受信情報をメモリカードにアップロードするように指定できる。【解決手段】カラー画像情報を通信可能なファクシミリ装置であって、送信機から色空間ｓＹＣＣのＪＰＥＧ符号化情報の送信が指定された時、メモリカード３０を装着するカードインターフェース２８に装着されているメモリカード３０に受信情報を格納できる場合には、その受信情報をメモリカード３０に格納する。【選択図】  図１
2004229135.tif 000002
【特許請求の範囲】
【請求項１】
カラー画像情報を通信可能なファクシミリ装置であって、
色空間ＬａｂでのＪＰＥＧ符号化情報の受信機能の有無を通知する手段と、
色空間Ｌａｂでのフルカラー画像情報の受信機能の有無を通知する手段と、
色空間ｓＹＣＣのＪＰＥＧ符号化情報の受信機能の有無を通知する手段と、
メモリカードを装着するカード装着手段と、
前記カード装着手段に装着されている前記メモリカードに受信情報を格納可能かどうかを判定する判定手段と、
送信機から色空間ｓＹＣＣのＪＰＥＧ符号化情報の送信が指定された時、前記判定手段により前記メモリカードに受信情報を格納可能と判定されると当該受信情報を前記メモリカードに格納するように制御する制御手段と、
を有することを特徴とするファクシミリ装置。
【発明の詳細な説明】
【０００１】
【発明の属する技術分野】
本発明は、カラー画像情報を送受信する技術に関するものである。
【０００２】
【従来の技術】
従来のファクシミリ装置は、モノクロ通信を実行するファクシミリ装置が主流であった。しかしながら最近は、インクジェットプリンタ、デジタルカメラ、及び、パソコンの普及に伴い、カラー画像情報を扱う機会が急増してきた。このような状況の下で、カラー画像情報の通信に対するニーズが急速に高まってきている。カラー画像の送受信に関する現在のＩＴＵ−Ｔの勧告について説明する。カラー画像情報の送信は、ＩＴＵ−Ｔ勧告Ｔ．８２で規定されているＪＰＥＧ符号で、ＩＴＵ−Ｔ勧告Ｔ．４２の色空間Ｌａｂでフルカラー画像情報の送信を実行していた。
【０００３】
【発明が解決しようとする課題】
従来のカラーファクシミリ情報の色空間はＬａｂであるが、例えばデジタルカメラで撮影したカラー画像情報の色空間はｓＹＣＣである。また、パソコンによりカラー画像情報を表示する場合の色空間はｓＹＣＣである。
【０００４】
このような状況から、色空間ｓＹＣＣでカラー画像情報を通信したいというニーズが高まってきた。更に、このようなデジタルカメラで撮影したカラー画像情報をファクシミリ送信する場合を考えると、通常のカラー画像情報と同様に、受信したカラー画像情報を復号してフルカラーでプリントする以外に、そのようなカラー画像情報をファクシミリ通信で受信し、その画像情報を受信側のファクシミリ装置でメモリカードに格納するという応用も考えられる。このメモリカードはデジタルカメラ、或いはパソコンに装着されて、そのカラー画像を見るという使用方法が多いと考えられる。しかしながら、色空間ｓＹＣＣでカラー画像情報送受信するファクシミリ装置は実用化されておらず、更に、その送信した色空間ｓＹＣＣのカラー画像情報をメモリカードにアップロードするように指定することは実現されていないのが現状である。
【０００５】
本発明は上記従来例に鑑みてなされたもので、送信機から受信機に対して、受信情報をメモリカードにアップロードするように指定できるファクシミリ装置を提供することを目的とする。
【０００６】
【課題を解決するための手段】
上記目的を達成するために本発明のファクシミリ装置は以下のような構成を備える。即ち、
カラー画像情報を通信可能なファクシミリ装置であって、
色空間ＬａｂでのＪＰＥＧ符号化情報の受信機能の有無を通知する手段と、
色空間Ｌａｂでのフルカラー画像情報の受信機能の有無を通知する手段と、
色空間ｓＹＣＣのＪＰＥＧ符号化情報の受信機能の有無を通知する手段と、
メモリカードを装着するカード装着手段と、
前記カード装着手段に装着されている前記メモリカードに受信情報を格納可能かどうかを判定する判定手段と、
送信機から色空間ｓＹＣＣのＪＰＥＧ符号化情報の送信が指定された時、前記判定手段により前記メモリカードに受信情報を格納可能と判定されると当該受信情報を前記メモリカードに格納するように制御する制御手段と、
を有することを特徴とする。
【０００７】
【発明の実施の形態】
以下、添付図面を参照して本発明の好適な実施の形態を詳細に説明する。
【０００８】
図１は、本発明の実施の形態に係るファクシミリ装置の構成を示すブロック図である。
【０００９】
図において、２はＮＣＵ（網制御装置）で、電話回線２ａをデータ通信等に使用するために電話回線２ａを介して他の端末に接続したり、電話交換網の接続制御を行う。また、このＮＣＵ２は、データ通信路への切り換えを行ったり、ループの保持を行う。更にＮＣＵ２は、ＣＰＵ２２によりバス２６を介して制御されることにより、電話回線２ａを電話機４側に接続（ＣＭＬオフ）したり、電話回線２ａをファクシミリ装置（ハイブリット回路６）側に接続（ＣＭＬオン）する。尚、通常状態では、電話回線２ａは電話機４側（２ｂ）に接続されている。６はハイブリッド回路で、送信系の信号と受信系の信号とを分離し、加算回路１２からの送信信号１２ａをＮＣＵ２経由で電話回線２ａに送出する。また相手側からの信号をＮＣＵ２を経由して受け取り、信号線６ａ経由で変復調器８に送る。８は変復調器（モデム）で、ＩＴＵ−Ｔ勧告Ｖ．８，Ｖ．２１，Ｖ．２７ｔｅｒ，Ｖ．２９，Ｖ．１７，Ｖ．３４に基づいた変調及び復調を行うことができる。尚、この変復調器８における伝送モードの指示は、バス２６を介してＣＰＵ２２の制御により行われる。この変復調器８は、バス２６を介して送信信号を入力し、その変調データを信号線８ａに出力して送信する。一方、信号線６ａを介して入力される受信信号を復調してバス２６に出力する。１０は発呼回路で、バス２６を介して電話番号情報を入力し、信号線１０ａにＤＴＭＦの選択信号を出力する。１２は加算回路で、信号線８ａの情報と信号線１０ａの情報とを入力し、それらを加算した結果を信号線１２ａに出力する。
【００１０】
１４はカラー画像を読み取り可能な読取回路で、読み取ったカラー画像データをバス２６に出力する。１６はカラー画像の記録が可能な記録回路で、バス２６を介して記録情報を入力し、その記録情報に従って順次１ライン毎に記録する。１８はメモリ（ＲＡＭ）で、ワーク用のメモリ（ＲＡＭ）、更に、読み取り回路１４で読み取った画像データの生情報、或いは、その画像情報を符号化した情報を格納したり、また、電話回線２ａを介して受信した受信情報、及びそれを復号した情報等を、バス２６を介して入力して格納している。２０は操作部で、ワンタッチダイヤル、短縮ダイヤル、テンキー、＊キー、＃キー、スタートキー、ストップキー、セットキー、カラー情報の読み取りを選択する選択キー、ファイル情報の送信を選択するキー、受信したファイル情報をカードへ転送する選択キー、後述する各種モードを設定するためのキーやその他のファンクションキーを備えており、この操作部２０で操作されたキー情報はバス２６を介して出力される。この操作部２０には表示部が設けられており、この表示部には、バス２６を介して入力される情報が表示される。２２はＣＰＵ（中央処理装置）で、この実施の形態に係るファクシミリ装置全体の動作を制御をしたり、ファクシミリの伝送制御手順を実行している。なお、このＣＰＵ２２の制御プログラムはＲＯＭ２４に格納されている。２８はカード・インターフェース部で、メモリカード３０（例えば、デジタルカメラで撮影した情報が記憶されているコンパクトフラッシュ（登録商標）カード）がセットされる。
【００１１】
［実施の形態１］
図２は本発明の実施の形態１に係る、カラー画像の送受信関連のビット情報、及び新規にＩＴＵ−Ｔ勧告Ｔ．３０に追加する情報を説明する図である。
（１）ＤＩＳ／ＤＴＣ信号のＦＩＦのビット６８により、色空間ＬａｂでのＪＰＥＧ符号の受信機能の有無を通知する。またＤＣＳ信号のＦＩＦのビット６８により、色空間ＬａｂでのＪＰＥＧ符号の送信を指定する。
（２）ＤＩＳ／ＤＴＣ信号のＦＩＦのビット６９により、色空間がＬａｂであるフルカラー画像情報の受信機能の有無を通知する。またＤＣＳ信号のＦＩＦのビット６９により、色空間Ｌａｂでのフルカラー画像情報の送信を指定する。
（３）ＤＩＳ／ＤＴＣ信号のＦＩＦのビットＸにより、色空間ｓＹＣＣでのＪＰＥＧ符号の受信機能の有無を通知する。また、ＤＣＳ信号のＦＩＦのビットＸにより、色空間ｓＹＣＣでのＪＰＥＧ符号での送信を指定する。
【００１２】
以上の構成を備える本実施の形態１に係るカラー画像情報を通信可能なファクシミリ装置では、前手順にて、受信機から送信機に対して、色空間ＬａｂでのＪＰＥＧ符号化情報の受信機能の有無、色空間Ｌａｂでのフルカラー画像情報の受信機能の有無、色空間ｓＹＣＣでのＪＰＥＧ符号化情報の受信機能の有無を通知する。
【００１３】
一方、送信機から受信機には、色空間ＬａｂでのＪＰＥＧ符号化情報の送信指定、色空間Ｌａｂでのフルカラー画像情報の送信指定、或いは色空間ｓＹＣＣでのＪＰＥＧ符号化情報の送信指定を行う。いま送信機から色空間ｓＹＣＣのＪＰＥＧ符号化データの送信が指定されると、受信機はメモリカード３０を装着していれば、その受信情報をそのメモリカード３０に格納し、メモリカード３０が無ければ、その受信情報をメモリカードに格納しない。具体的には、受信情報をプリントするか或いはファクシミリ装置本体のメモリ１８に格納する。一方、送信機から色空間ＬａｂのＪＰＥＧ符号化データの送信が指定された時は、メモリカードが装着されているか否かに拘わらず、受信情報をメモリカード３０に格納しない。具体的には、受信情報をプリントするか、或いは、ファクシミリ装置本体のメモリ１８に格納する。
【００１４】
図３乃至図９は、本発明の実施の形態１に係るファクシミリ装置における処理を示すフローチャートであり、この処理を実行するプログラムはＲＯＭ２４に記憶されており、ＣＰＵ２２の制御の下に実行される。
【００１５】
まずステップＳ１で、バス２６を介して、メモリ１８の内容を初期化する。次にステップＳ２に進み、バス２６を介して、操作部２０の表示部をクリアする。そしてステップＳ３に進み、バス２６を介してＮＣＵ２のＣＭＬをオフする。次にステップＳ４に進み、このファクシミリ装置において、ファクシミリ受信が選択されたか否かを判断し、ファクシミリ受信が選択された時はステップＳ６に進み、そうでない時はステップＳ５に進み、選択或いは指示された、その他の処理を行って、後述する図９のステップＳ４２に進む。
【００１６】
ステップＳ４でファクシミリ受信が選択された時はステップＳ６に進み、バス２６を介してＮＣＵ２のＣＭＬをオンし、ステップＳ７で、前手順として、ＤＩＳ信号のＦＩＦのビット６８，６９，Ｘを全て「１」にする。次にステップＳ８に進み、ＤＣＳ信号のＦＩＦのビットＸが「１」であるか否かを判定し、「１」（色空間ｓＹＣＣでのＪＰＥＧ送信）であればステップＳ１０（図４）に進み、メモリカード３０がセットされていて、かつ、そのファクシミリ画像を受信可能であるか否かを判断する。メモリカード３０がセットされて受信可能であればステップＳ１１に進み、色空間ｓＹＣＣのＪＰＥＧ符号化データを受信してメモリカード３０に記憶する。なお、メモリカード３０の空き容量が所定値以上である場合に受信可能と判定する。そしてステップＳ１２に進み、後手順を実行してステップＳ３（図３）に戻る。
【００１７】
一方、ステップＳ１０で、メモリカード３０がセットされていない時はステップＳ１３に進み、記録回路１６に記録紙がセットされているか否かを調べ、記録紙がセットされているとステップＳ１４に進み、色空間ｓＹＣＣのＪＰＥＧ符号化データを受信して復号し、イメージデータに展開して記録回路１６に出力してプリントする。そしてステップＳ１５に進み、後手順を実行してステップＳ３に戻る。
【００１８】
またステップＳ１３で、記録回路１６に記録紙がセットされていない時はステップＳ１６に進み、メモリ１８に受信データを格納可能かどうか、即ち、その分の空エリアがあるかを否かを判断し、格納可能であればステップＳ２０（図５（Ａ））に進み、色空間ｓＹＣＣのＪＰＥＧ符号化データを受信してメモリ１８に格納する。そしてステップＳ２１で後手順を実行して、ステップＳ３に進む。
【００１９】
一方、ステップＳ１６（図４）でメモリ１８に受信データを格納可能でない時はステップＳ２２（図５（Ｂ））に進み、操作部２０の表示部に「メモリ受信した情報をプリントをして下さい」と表示する。これはメモリ１８に、以前にメモリ受信したデータが多く記憶されていてメモリ１８の空エリアがなくなっているので、その分のデータを消去して空エリアを作成するようにオペレータに指示するものである。この表示は何らかのキー操作で消去される。そしてステップＳ３に進む。
【００２０】
また図３のステップＳ８で、ＤＣＳ信号のＦＩＦのビットＸが「１」でない時（色空間ｓＹＣＣでのＪＰＥＧ送信でない）はステップＳ２３（図６）に進み、ＤＣＳ信号のＦＩＦのビット６８が「１」であるか否かを判定し、「１」であれば（色空間ＬａｂでのＪＰＥＧ送信）ステップＳ２４に進み、記録回路１６に記録紙がセットされているか否かを判断し、セットされていればステップＳ２５に進み、色空間ＬａｂでのＪＰＥＧ符号化データを受信して復号し、イメージデータに展開して記録回路１６に出力しプリントする。そしてステップＳ２６に進み、後手順を実行してステップＳ３に戻る。
【００２１】
またステップＳ２４で記録回路１６に記録紙がセットされていないときはステップＳ３１（図７）に進み、メモリ１８へ受信した画像データを記憶可能か否かを判断し、記憶可能であれば、ステップＳ３２に進み、色空間ＬａｂのＪＰＥＧ符号化データをメモリ１８に格納する。そしてステップＳ３３で後手順を実行してステップＳ３に戻る。又ステップＳ３１で、メモリ１８に格納できない時は前述のステップＳ２２（図５（Ｂ））に進み、操作部２０の表示部にメッセージを表示してステップＳ３に進む。
【００２２】
又一方、ステップＳ２３（図６）で、ＤＣＳ信号のＦＩＦのビット６８が「１」でない（色空間ＬａｂでのＪＰＥＧ符号送信指定でない）時はステップＳ３４（図８）に進み、記録回路１６に記録紙がセットされているか否かを判断し、セットされていればステップＳ３５に進み、モノクロ画像情報を受信し復号してプリントする。そしてステップＳ３６に進み、後手順を実行してステップＳ３に進む。
【００２３】
またステップＳ３４で、記録回路１６に記録紙がセットされていないときはステップＳ３７に進み、ファクシミリ画像を受信してメモリ１８に格納可能であるか否かを判断し、可能であればステップＳ３８に進み、モノクロ画像情報を受信してメモリ１８に格納する。そしてステップＳ３９で後手順を実行してステップＳ３に進む。又ステップＳ３７で、メモリ１８に格納できない時は前述のステップＳ２２（図５（Ｂ））に進み、操作部２０の表示部にメッセージを表示してステップＳ３に進む。
【００２４】
また図３のステップＳ５を実行した後ステップＳ４２（図９）に進み、操作部２０を使用して操作された情報を入力し、メモリ１８に代行受信されているファクシミリ画像情報のプリントが選択されたか否かを判断する。代行受信情報のプリントが指示された時はステップＳ４３に進み、選択された代行受信情報の受信情報に従い、カラー或いはモノクロ画像をプリントする。そしてステップＳ３に進む。
【００２５】
以上説明したように本実施の形態１によれば、デジタルカメラ等で使用されている色空間ｓＹＣＣでＪＰＥＧ符号化されたカラー画像データを受信すると、その受信したカラー画像データをメモリカード３０に記憶することができる。また、メモリカード３０が装着されていない時は、その色空間ｓＹＣＣでＪＰＥＧ符号化されたカラー画像データを受信して復号し記録紙に印刷することができる。更に、記録紙がない場合でも、その受信した色空間ｓＹＣＣでＪＰＥＧ符号化されたカラー画像データを本体のメモリ１８に受信して記憶する、所謂メモリ代行受信を行うことができる。
【００２６】
［実施の形態２］
前述の実施の形態１に係るファクシミリ装置において、メモリカード３０がなければ、色空間ｓＹＣＣのＪＰＥＧ符号化データを受信する機能がないと判断してもよい。
【００２７】
図１０は、本発明の実施の形態２における処理を説明するフローチャートで、前述の図３における制御の流れ図に対して、異なる部分の制御の流れ図が図示されている。
【００２８】
図１０において、図３のステップＳ６でＣＭＬをオンした後、ステップＳ５１に進み、メモリカード３０がセットされていて、かつ、ファクシミリ受信が可能であるか否かを判断し、そうであれば前述のステップＳ７（図３）の前手順に進むが、そうでない時はステップＳ５２に進み、前手順として、ＤＩＳ信号のＦＩＦのビット６８，６９を「１」とし、ビットＸを「０」にセットする。即ち、色空間ＬａｂでＪＰＥＧ符号及びフルカラー画像を受信可能としてステップＳ７に進む。
【００２９】
これにより送信機は、受信機が色空間ｓＹＣＣでのＪＰＥＧ符号を受信できないと判断できるため、色空間ｓＹＣＣのカラー画像データの送信を取りやめる等の処理を行うことになる。
【００３０】
以上説明したように本実施の形態１によれば、色空間ｓＹＣＣのＪＰＥＧフルカラー画像データを送信する場合は、デジタルスチルカメラで撮影してコンパクトフラッシュ（登録商標）カードに格納されている画像ファイル情報を送信する場合が多い。この場合、本実施の形態に係るファクシミリ受信機では、その色空間ｓＹＣＣのフルカラー画像データを受信して優先的にメモリカードへ記憶することになる。これにより、色空間ｓＹＣＣのＪＰＥＧフルカラー画像データを受信する時には、メモリカードへの受信が多くなりユーザにとって使い易くなる。
【００３１】
又本実施の形態によれば、色空間ＬａｂのＪＰＥＧ符号化データを受信する時は、その受信データをメモリカードに格納しないでプリントするか或いは本体のメモリに格納することができる。これにより送信機は、原稿情報のカラー送信時はメモリカードに格納することなく、リアルタイムでプリントすることができ使い易くなった。
【００３２】
又本実施の形態によれば、受信機は、色空間ｓＹＣＣのＪＰＥＧフルカラー画像情報を受信すると、確実にそのカラー画像情報をメモリカードへ記憶するので、色空間ｓＹＣＣのＪＰＥＧフルカラー画像データの受信はメモリカードへの受信記憶となり、ユーザにとって使い易くなった。
【００３３】
［実施の形態３］
次に本発明の実施の形態３について説明する。
【００３４】
図１１は、本発明の実施の形態３に係る、カラー画像情報の送受信関連のビット情報、及び新規にＩＴＵ−Ｔ勧告Ｔ．３０に追加する情報を説明する図である。
（１）ＤＩＳ／ＤＴＣ信号のＦＩＦのビット６８により、色空間ＬａｂでのＪＰＥＧ符号の受信機能の有無を通知する。またＤＣＳ信号のＦＩＦのビット６８により、色空間ＬａｂでのＪＰＥＧ符号の送信を指定する。
（２）ＤＩＳ／ＤＴＣ信号のＦＩＦのビット６９により、色空間がＬａｂであるフルカラー画像情報の受信機能の有無を通知する。またＤＣＳ信号のＦＩＦのビット６９により、色空間Ｌａｂでのフルカラー画像情報の送信を指定する。
（３）ＤＩＳ／ＤＴＣ信号のＦＩＦのビットＸにより、色空間ｓＹＣＣでのＪＰＥＧ符号の受信機能の有無を通知する。また、ＤＣＳ信号のＦＩＦのビットＸにより、色空間ｓＹＣＣでのＪＰＥＧ符号での送信を指定する。
（４）ＤＩＳ／ＤＴＣ信号のＦＩＦのビット（Ｘ＋１）により、色空間ｓＹＣＣでのフルカラー画像情報の受信機能の有無を通知する。また、ＤＣＳ信号のＦＩＦのビット（Ｘ＋１）により、色空間ｓＹＣＣでのＪＰＥＧ符号での送信を指定する。
（５）ＤＩＳ／ＤＴＣ信号のＦＩＦのビット（Ｘ＋２）により、受信した画像情報をメモリカードにアップロードする機能の有無を通知する。また、ＤＣＳ信号のＦＩＦのビット（Ｘ＋２）により、これから送信する情報を受信機においてメモリカードにアップロードするように指定する。
【００３５】
この実施の形態３に係るファクシミリ装置は、前述の実施の形態１，２に係るファクシミリ装置と同様のハードウェア構成を有し、前述の機能に加えて更に、受信機から送信機に、カードに受信情報をアップロードする機能を有するか否かを通知し、また送信機は、これから送信する情報を受信機側にてメモリカードにアップロードするように指定する手段を有する。そして、送信機において、操作部を使用して、これから送信する情報を受信機でメモリカードにアップロードするように指示されると、受信機が受信情報をメモリカードにアップロードする機能を有している場合には、送信機から受信機に対して受信情報をそのメモリカードにアップロードするように指示する。
【００３６】
図１２乃至図１６は、本発明の実施の形態３に係るファクシミリ装置における処理を示すフローチャートである。尚、この実施の形態３に係るファクシミリ装置のハードウェア構成は前述の実施の形態１，２の場合と同様であるため、その説明を省略する。
【００３７】
図１２において、処理が開始されるとまずステップＳ６１で、バス２６を介してメモリ１８をイニシャライズする。次にステップＳ６２に進み、バス２６を介して操作部２０の表示部をクリアする。次にステップＳ６３に進み、バス２６を介してＮＣＵ２のＣＭＬをオフする。そしてステップＳ６４に進み、受信が選択されたか否かを判定し、受信が選択されるとステップＳ６５に進み、そうでない時はステップＳ６８に進み、送信が選択されたか否かを判定し、「ＹＥＳ」であるとステップＳ８０（図１４）に進み、「ＮＯ」であればステップＳ６９に進み、指示されたその他の処理を実行してステップＳ６３に戻る。
【００３８】
ステップＳ６５では、バス２６を介してＮＣＵ２のＣＭＬをオンする。次にステップＳ６６に進み、カードインターフェース２８にメモリカード３０がセットされているか否かを判定し、セットされている時はステップＳ６７に進み、そのメモリカード３０の空き容量が０．５Ｍバイト以上であるか否かを判定する。０．５Ｍバイト以上の空エリアがある時はステップＳ７０（図１３）に進み、前手順を実行し、ＤＩＳ信号のＦＩＦのビット６８，６９，Ｘ，（Ｘ＋１），（Ｘ＋２）を全て「１」とする。次にステップＳ７１に進み、ＤＣＳ信号のＦＩＦのビット（Ｘ＋２）が「１」であるか否かを判定し、そうであれば（受信情報をメモリカードにアップロード指定）ステップＳ７２に進み、ファクシミリ受信した情報をメモリカード３０に格納する。そしてステップＳ７３に進み、後手順を実行して図１２のステップＳ６３に戻る。
【００３９】
一方、ステップＳ７１で、ＤＣＳ信号のＦＩＦのビット（Ｘ＋２）が「１」でない時（メモリカードへのアップロード指定でない時）はステップＳ７４に進み、指定された通信モードで画信号を受信して記録回路１６により記録する。そしてステップＳ７５で後手順を実行してステップＳ６３（図１２）に戻る。
【００４０】
また一方、図１２のステップＳ６６で、カードインターフェース２８にメモリカード３０がセットされていないとき、或いはステップＳ６７（図１２）でメモリカード３０に所定量の空エリアがない時はステップＳ７６（図１３）に進み、前手順を実行し、ここで、ＤＩＳ信号のＦＩＦのビット６８，６９，Ｘ，（Ｘ＋１）を「１」とし、ビット（Ｘ＋２）を「０」（メモリカードへのアップロードする機能を有していない）にする。次にステップＳ７４に進み、前述の処理を実行する。
【００４１】
又図１２のステップＳ６８で送信が選択された時はステップＳ８０に進み、バス２６を介してＮＣＵ２のＣＭＬをオンする。次にステップＳ８１に進み、発呼回路１０を使用して、操作部２０により指定された宛先へ発呼する。次にステップＳ８２に進み、前手順を実行し、操作部２０よりの情報を入力し、受信機で、受信情報のメモリカード３０にアップロードするように指示されたか否かを判定する。「ＹＥＳ」であればステップＳ８４に進み、ＤＩＳ信号のＦＩＦのビット（Ｘ＋２）が「１」であるか否かを判定し、そうであれば、即ち、メモリカード３０へのアップロード機能があればステップＳ８５に進み、そうでない時はステップＳ８９に進み、操作部２０の表示部に「受信機側にて、メモリカードへアップロードできないため、通信を中断します」と表示する。この表示は、何らかのキー操作で消去される。そしてステップＳ６３に進む。
【００４２】
一方ステップＳ８５では、操作部２０からの情報を入力して、カード情報の送信が選択されたか否かを判定し、「ＹＥＳ」であればステップＳ８６に進んで残りの前手順を実行し、ＤＣＳ信号のＦＩＦのビット（Ｘ＋２）を「１」にする（メモリカードへのアップロード指示）。次にステップＳ８８に進み、メモリカード３０に格納している情報を送信する。そしてステップＳ８８で後手順を実行してステップＳ６３に戻る。これにより、メモリカード３０に記憶されている画像情報を送信する場合は、受信機では、その受信した画像情報を無条件にメモリカード３０に書込むことになる。
【００４３】
またステップＳ８５で、カード情報の送信でない時はステップＳ９０に進み、残りの前手順を実行し、ＤＣＳ信号のＦＩＦのビット（Ｘ＋２）を「１」にする（メモリカードへのアップロード指示）。次にステップＳ９１に進み、読取回路１４により原稿情報を読み取り、それを符号化して送信する。そしてステップＳ９２に進み、後手順を実行してステップＳ６３に戻る。これにより、受信機がメモリカード３０へのアップロード機能を有している場合は、読取回路１４で読み取ったカラー画像情報は受信機のメモリカード３０に記憶されることになる。
【００４４】
一方、ステップＳ８３で、受信機でのアップロードが選択されていない時はステップＳ９３（図１５）に進み、残りの前手順を実行する。ここではＤＣＳ信号のＦＩＦのビット（Ｘ＋２）を「０」にする（受信機側でメモリカードにアップロードしない）。次にステップＳ９４に進み、操作部２０の情報を入力して、メモリカード３０に記憶している画像情報の送信が選択されたか否かを判定する。「ＹＥＳ」であればステップＳ８７（図１４）に進んで、メモリカード３０に記憶されている画像情報を受信機に送信する。一方、「ＮＯ」であればステップＳ９１（図１４）に進んで、読取回路１４に対して原稿画像の読取りを指示し、その読み取った画像情報を受信機に送信する。
【００４５】
以上説明したように本実施の形態３によれば、受信機が、受信情報をメモリカードにアップロードできる機能を備えている場合、送信機から受信機に対して、受信情報をメモリカードにアップロードするように指定することができる。これにより、例えばデジカメにより撮影した画像情報を送信機から受信機に送信し、受信機のメモリカードに、その画像情報をロードすることができる。
【００４６】
又、送信機のメモリカードに記憶されている画像データを受信機に送信し、受信機で印刷したり、或いは受信機のメモリカードに記憶することができる。
【００４７】
［実施の形態４］
次に本発明の実施の形態４を説明する。この実施の形態４では、受信機から送信機に、色空間ＬａｂでＪＰＥＧ符号の受信機能の有無、色空間がＬａｂであるフルカラー情報の受信機能の有無、色空間ｓＹＣＣでＪＰＥＧ符号の受信機能の有無、及び色空間がｓＹＣＣであるフルカラー情報の受信機能の有無を通知する。一方、送信機から受信機に、色空間ＬａｂでＪＰＥＧ符号の送信指定、色空間がＬａｂであるフルカラー情報の送信指定、色空間ｓＹＣＣでＪＰＥＧ符号の送信指定、或いは色空間がｓＹＣＣであるフルカラー情報の送信指定を行う。そして、送信機において、これから送信する情報を受信機でメモリカードにアップロードするように指示すると、その送信情報が色空間ｓＹＣＣの画像情報であり、かつ受信機がメモリカードに受信情報をアップロードする機能を有している場合に、送信機から受信機に対して受信情報をメモリカードにアップロードするように指定する。
【００４８】
図１６（Ａ）（Ｂ）は、本実施の形態４に係るファクシミリ装置における処理を説明するフローチャートで、前述の図１２乃至図１５のフローチャートに対して異なる部分の制御処理の流れ図を示している。
【００４９】
図１６（Ａ）のステップＳ１０１は、図１４のステップＳ８５において「ＹＥＳ」の場合（受信情報をメモリカードにアップロード指定）に実行され、送信する情報の色空間がｓＹＣＣであるか否かを判定する。そうであればステップＳ１０２に進み、ＤＩＳ信号のＦＩＦのビットＸ，（Ｘ＋１）がともに「１」であるか否かを判定する。そうであれば（色空間ｓＹＣＣのフルカラー画像のアップロード指定）ステップＳ８６（図１４）に進み、残りの前手順を実行し、ＤＣＳ信号のビット（Ｘ＋２）を「１」としてステップＳ８７に進み、メモリカード３０に記憶されている情報を送信する。
【００５０】
これにより、送信機のメモリカード３０に記憶されている色空間ｓＹＣＣのフルカラー画像を送信して、受信機のメモリカード３０にアップロードすることができる。
【００５１】
一方、ステップＳ１０１で、送信する情報の色空間がｓＹＣＣでない時、或いはステップＳ１０２で、ＤＩＳ信号のＦＩＦのビットＸ，（Ｘ＋１）のいずれもが「１」でない時はステップＳ９３（図１５）に進み、残りの前手順を実行し、ＤＣＳ信号のビット（Ｘ＋２）を「０」にする。
【００５２】
また図１４のステップＳ９０で、メモリカードへのアップロード指定を実行した後ステップＳ１０３（図１６（Ｂ））に進み、読取回路１４により、原稿情報を色空間ｓＹＣＣで読み取り、ＪＰＥＧ符号化したフルカラー画像情報として送信する。そしてステップＳ９２に進み、後手順を実行してステップＳ６３に進む。
【００５３】
これにより、読取り回路で読み取った原稿情報を送信して、受信機のメモリカードに格納することができる。
【００５４】
［実施の形態５］
次に本発明の実施の形態５について説明する。
【００５５】
この実施の形態５では、更に、受信機から送信機に対して、色空間ＬａｂでＪＰＥＧ符号化情報の受信機能の有無、色空間がＬａｂであるフルカラー情報の受信機能の有無、色空間ｓＹＣＣでＪＰＥＧ符号化情報の受信機能の有無、及び色空間ｓＹＣＣであるフルカラー情報の受信機能の有無を通知する。また、送信機から受信機に対して、色空間ＬａｂでＪＰＥＧ符号化情報の送信指定、色空間がＬａｂであるフルカラー情報の送信指定、色空間ｓＹＣＣでＪＰＥＧ符号化情報の送信指定、色空間がｓＹＣＣであるフルカラー情報の送信指定のいずれかを通知する。そして送信機にて、これから送信する情報を受信機側にてメモリカードにアップロードする事が選択されると、送信情報がメモリカードに格納されていて、送信情報が色空間ｓＹＣＣであり、かつ受信機に、メモリカードに受信情報をアップロードする機能がある場合、送信機から受信機に対して受信情報をメモリカードにアップロードするように指定可能にしてもよい。
【００５６】
この場合には図１６（Ｃ）に示すように、図１４のステップＳ８５で「ＮＯ」（メモリカードに記憶されている画像情報の送信でない）場合は図１５のステップＳ９３に進み、残りの前手順を実行し、ＤＣＳ信号のビット（Ｘ＋２）を「０」にする（メモリカードへのアップロードを指定しない）。
【００５７】
［他の実施の形態］
本発明の目的は前述したように、実施形態の機能を実現するソフトウェアのプログラムコードを記録した記憶媒体をシステム或は装置に提供し、そのシステム或は装置のコンピュータ（又はＣＰＵやＭＰＵ）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスク、ＣＤ−ＲＯＭ，ＣＤ−Ｒ、磁気テープ、不揮発性のメモリカード、ＲＯＭなどを用いることができる。
【００５８】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部又は全部を行い、その処理によって前述した実施の形態の機能が実現される場合も含まれている。
【００５９】
更に、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行い、その処理によって前述した実施の形態の機能が実現される場合も含む。
【００６０】
上述した各実施の形態は以下のような実施態様で表わすことができる。
【００６１】
［実施態様１］  カラー画像情報を通信可能なファクシミリ装置であって、
色空間ＬａｂでのＪＰＥＧ符号化情報の受信機能の有無を通知する手段と、
色空間Ｌａｂでのフルカラー画像情報の受信機能の有無を通知する手段と、
色空間ｓＹＣＣのＪＰＥＧ符号化情報の受信機能の有無を通知する手段と、
メモリカードを装着するカード装着手段と、
前記カード装着手段に装着されている前記メモリカードに受信情報を格納可能かどうかを判定する判定手段と、
送信機から色空間ｓＹＣＣのＪＰＥＧ符号化情報の送信が指定された時、前記判定手段により前記メモリカードに受信情報を格納可能と判定されると当該受信情報を前記メモリカードに格納するように制御する制御手段と、
を有することを特徴とするファクシミリ装置。
【００６２】
［実施態様２］  前記判定手段は、前記カード装着手段に前記メモリカードが装着されていて、かつ前記メモリカードが所定量の空エリアを有している場合に受信情報を格納可能と判定することを特徴とする実施態様１に記載のファクシミリ装置。
【００６３】
［実施態様３］  更に、色空間ＬａｂでのＪＰＥＧ符号化情報の送信を指定する手段と、
色空間Ｌａｂでのフルカラー画像情報の送信を指定する手段と、
色空間ｓＹＣＣのＪＰＥＧ符号化情報の送信を指定する手段とを有することを特徴とする実施態様１又は２に記載のファクシミリ装置。
【００６４】
［実施態様４］  送信機から色空間ｓＹＣＣのＪＰＥＧ符号化情報の送信が指定された時、前記判定手段により前記メモリカードへの受信情報の格納が不可能と判定されると、当該受信情報を記録部により記録することを特徴とする実施態様１乃至３のいずれかに記載のファクシミリ装置。
【００６５】
［実施態様５］  送信機から色空間ｓＹＣＣのＪＰＥＧ符号化情報の送信が指定された時、前記判定手段により前記メモリカードへの受信情報の格納が不可能と判定されると、当該受信情報を内蔵メモリに格納することを特徴とする実施態様１乃至３のいずれかに記載のファクシミリ装置。
【００６６】
［実施態様６］  送信情報を受信機にてメモリカードにアップロードするように指示する指示手段と、
受信機が受信情報をメモリカードにアップロードする機能を有しているか否かを判定する判定手段と、
前記判定手段により前記アップロードする機能を有していると判定されると、前記指示手段による指示に応じて前記受信機に対して受信情報をメモリカードにアップロードするように通知する通知手段と、
を有することを特徴とする通信装置。
【００６７】
［実施態様７］  色空間ＬａｂでのＪＰＥＧ符号化情報の送信を指定する手段と、
色空間Ｌａｂでのフルカラー画像情報の送信を指定する手段と、
色空間ｓＹＣＣのＪＰＥＧ符号化情報の送信を指定する手段とを更に有し、
前記通知手段は前記色空間ｓＹＣＣのＪＰＥＧ符号化情報を送信する場合に、前記受信情報を前記メモリカードにアップロードするように指示することを特徴とする実施態様６に記載の通信装置。
【００６８】
［実施態様８］  メモリカードを装着する装着手段を更に有し、前記通知手段は前記メモリカードに記憶されている情報を送信する場合に受信情報をメモリカードにアップロードするように通知することを特徴とする実施態様６に記載の通信装置。
【００６９】
［実施態様９］  受信情報をメモリカードにアップロードするアップロード手段と、
前記アップロード手段を有しているか否かを送信機に通知する手段と、
受信情報をメモリカードにアップロードするように送信機より通知されると、前記受信情報を前記アップロード手段により前記メモリカードにアップロードするように制御する制御手段と、
を有することを特徴とする通信装置。
【００７０】
［実施態様１０］  更に、色空間ｓＹＣＣでＪＰＥＧ符号化情報の受信機能の有無を通知する手段を有し、
前記送信機から受信情報をアップロードするように通知されると、前記制御手段は、前記受信情報が色空間ｓＹＣＣの情報である場合に前記受信情報を前記アップロード手段により前記メモリカードにアップロードするように制御することを特徴とする実施態様８に記載の通信装置。
【００７１】
［実施態様１１］  カラー画像情報を通信可能なファクシミリ装置における通信制御方法であって、
色空間ＬａｂでのＪＰＥＧ符号化情報の受信機能の有無を通知する工程と、
色空間Ｌａｂでのフルカラー画像情報の受信機能の有無を通知する工程と、
色空間ｓＹＣＣのＪＰＥＧ符号化情報の受信機能の有無を通知する工程と、
メモリカードに受信情報を格納可能かどうかを判定する判定工程と、
送信機から色空間ｓＹＣＣのＪＰＥＧ符号化情報の送信が指定された時、前記判定工程により前記メモリカードに受信情報を格納可能と判定されると当該受信情報を前記メモリカードに格納するように制御する制御工程と、
を有することを特徴とする通信制御方法。
【００７２】
［実施態様１２］  前記判定工程では、前記メモリカードが装着されていて、かつ前記メモリカードが所定量の空エリアを有している場合に受信情報を格納可能と判定することを特徴とする実施態様１１に記載の通信制御方法。
【００７３】
［実施態様１３］  更に、色空間ＬａｂでのＪＰＥＧ符号化情報の送信を指定する工程と、
色空間Ｌａｂでのフルカラー画像情報の送信を指定する工程と、
色空間ｓＹＣＣのＪＰＥＧ符号化情報の送信を指定する工程とを有することを特徴とする実施態様１１又は１２に記載の通信制御方法。
【００７４】
［実施態様１４］  送信機から色空間ｓＹＣＣのＪＰＥＧ符号化情報の送信が指定された時、前記判定工程で前記メモリカードへの受信情報の格納が不可能と判定されると、当該受信情報を記録部により記録することを特徴とする実施態様１１乃至１３のいずれかに記載の通信制御方法。
【００７５】
［実施態様１５］  送信機から色空間ｓＹＣＣのＪＰＥＧ符号化情報の送信が指定された時、前記判定工程で前記メモリカードへの受信情報の格納が不可能と判定されると、当該受信情報を内蔵メモリに格納することを特徴とする実施態様１１乃至１３のいずれかに記載の通信制御方法。
【００７６】
［実施態様１６］  送信情報を受信機にてメモリカードにアップロードするように指示する指示工程と、
受信機が受信情報をメモリカードにアップロードする機能を有しているか否かを判定する判定工程と、
前記判定工程で前記アップロードする機能を有していると判定されると、前記指示工程での指示に応じて前記受信機に対して受信情報をメモリカードにアップロードするように通知する通知工程と、
を有することを特徴とする通信制御方法。
【００７７】
［実施態様１７］  色空間ＬａｂでのＪＰＥＧ符号化情報の送信を指定する工程と、
色空間Ｌａｂでのフルカラー画像情報の送信を指定する工程と、
色空間ｓＹＣＣのＪＰＥＧ符号化情報の送信を指定する工程とを更に有し、
前記通知工程では前記色空間ｓＹＣＣのＪＰＥＧ符号化情報を送信する場合に、前記受信情報を前記メモリカードにアップロードするように指示することを特徴とする実施態様１６に記載の通信制御方法。
【００７８】
［実施態様１８］  前記通知工程ではメモリカードに記憶されている情報を送信する場合に受信情報をメモリカードにアップロードするように通知することを特徴とする実施態様１６に記載の通信制御方法。
【００７９】
［実施態様１９］  受信情報をメモリカードにアップロードする機能を有しているか否かを送信機に通知する工程と、
前記通知する工程の通知に応じて、受信情報をメモリカードにアップロードするように送信機より通知されると、前記受信情報を前記メモリカードにアップロードするように制御する制御工程と、
を有することを特徴とする通信制御方法。
【００８０】
［実施態様２０］  更に、色空間ｓＹＣＣでＪＰＥＧ符号化情報の受信機能の有無を通知する工程を有し、
前記送信機から受信情報をアップロードするように通知されると、前記制御工程では、前記受信情報が色空間ｓＹＣＣの情報である場合に前記受信情報を前記メモリカードにアップロードするように制御することを特徴とする実施態様８に記載の通信装置。
【００８１】
以上説明したように本実施の形態によれば、原稿情報のカラー送信の際には、受信機では、そのカラー画像を受信して印刷できる。一方、デジタルカメラで撮影したカラー画像情報を送信する場合は、受信機に対して受信情報をメモリカードにアップロードするように指定できる。これにより受信機は、受信情報をメモリカードにアップロードするため、送信機のユーザニーズに合致した受信処理が可能になり使い勝手が良くなった。
【００８２】
又本実施の形態によれば、デジタルカメラで撮影した色空間ｓＹＣＣのカラー画像情報を送信する場合は、受信機において受信情報をメモリカードにアップロードするように、送信機において指示する。これにより受信機では、受信情報をメモリカードにアップロードするため、送信機のユーザニーズに合致した受信処理が可能になりとても使い易くなった。
【００８３】
更に本実施の形態によれば、デジタルカメラで撮影した色空間ｓＹＣＣの画像データをメモリカードに格納しておき、それを送信する場合は、受信機に対して受信情報をメモリカードにアップロードするように指定する。これにより受信機では、受信情報をメモリカードにアップロードでき、送信機側のユーザニーズに合致した受信処理が可能になりとても使い易くなった。
【００８４】
【発明の効果】
以上説明したように本発明によれば、送信機から受信機に対して、受信情報をメモリカードにアップロードするように指定できるため、送信機のユーザニーズに合致した受信処理が可能になるという効果がある。
【図面の簡単な説明】
【図１】本発明の実施の形態に係るファクシミリ装置の構成を示す機能ブロック図である。
【図２】本実施の形態１に係るファクシミリ装置で使用されるＤＩＳ／ＤＴＣ，ＤＣＳ信号のＦＩＦ情報の具体例を示す図である。
【図３】本実施の形態１に係るファクシミリ装置における制御の流れを説明するフローチャートである。
【図４】本実施の形態１に係るファクシミリ装置における制御の流れを説明するフローチャートである。
【図５】本実施の形態１に係るファクシミリ装置における制御の流れを説明するフローチャートである。
【図６】本実施の形態１に係るファクシミリ装置における制御の流れを説明するフローチャートである。
【図７】本実施の形態１に係るファクシミリ装置における制御の流れを説明するフローチャートである。
【図８】本実施の形態１に係るファクシミリ装置における制御の流れを説明するフローチャートである。
【図９】本実施の形態１に係るファクシミリ装置における制御の流れを説明するフローチャートである。
【図１０】本発明の実施の形態２に係るファクシミリ装置における制御の流れを説明するフローチャートである。
【図１１】本実施の形態３に係るファクシミリ装置で使用されるＤＩＳ／ＤＴＣ，ＤＣＳ信号のＦＩＦ情報の具体例を示す図である。
【図１２】本実施の形態３に係るファクシミリ装置における制御の流れを説明するフローチャートである。
【図１３】本実施の形態３に係るファクシミリ装置における制御の流れを説明するフローチャートである。
【図１４】本実施の形態３に係るファクシミリ装置における制御の流れを説明するフローチャートである。
【図１５】本実施の形態３に係るファクシミリ装置における制御の流れを説明するフローチャートである。
【図１６】本実施の形態４，５に係るファクシミリ装置における制御の流れを説明するフローチャートである。
【図１】
2004229135.tif 000003
【図２】
2004229135.tif 000004
【図３】
2004229135.tif 000005
【図４】
2004229135.tif 000006
【図５】
2004229135.tif 000007
【図６】
2004229135.tif 000008
【図７】
2004229135.tif 000009
【図８】
2004229135.tif 000010
【図９】
2004229135.tif 000011
【図１０】
2004229135.tif 000012
【図１１】
2004229135.tif 000013
【図１２】
2004229135.tif 000014
【図１３】
2004229135.tif 000015
【図１４】
2004229135.tif 000016
【図１５】
2004229135.tif 000017
【図１６】
2004229135.tif 000018